(57)【特許請求の範囲】
【請求項１】
ソーラーパネル体と該ソーラーパネル体から一定長さ引き出した２本の配線コードと、該各配線コードの先に設けた各端子とよりなる太陽光発電装置であって、各端子は円柱状であり螺旋状溝が形成され、各端子は、チタンより形成されており、波動エネルギー触媒塗料が各端子に塗布されていることを特徴とする太陽光発電装置。
【請求項２】
ソーラーパネル体と該ソーラーパネル体から一定長さ引き出した２本の配線コードと、該各配線コードの先に設けた各端子とよりなる太陽光発電装置であって、各端子は円柱状であり螺旋状溝が形成されており、各端子は、中心領域に配置される円柱状のコア部と該コア部の外側に配置される円筒状のクラッド部とよりなり、コア部は、炭素よりなり、クラッド部はチタンよりなり、コア部の表面に螺旋状溝が形成されており、波動エネルギー触媒塗料が、コア部とクラッド部との間に塗布されていることを特徴とする太陽光発電装置。
【請求項３】
ソーラーパネル体と該ソーラーパネル体から一定長さ引き出した２本の配線コードと、該各配線コードの先に設けた各端子とよりなる太陽光発電装置であって、各端子は円柱状であり螺旋状溝が形成されており、各端子部は、中心領域に配置される円柱状のコア部と該コア部の外側に配置される円筒状のクラッド部とよりなり、コア部は炭素より且つクラッド部はチタンよりなり、クラッド部の表面に螺旋状溝が形成されており、波動エネルギー触媒塗料が、クラッド部に塗布されていることを特徴とする太陽光発電装置。
【請求項４】
波動エネルギー触媒塗料が、アクリル樹脂及び無機質粉末を含むものであることを特徴とする請求項１、２又は３記載の太陽光発電装置。
【請求項５】
無機質粉末が、トルマリン、貴宝石、蛇紋石粉末の少なくとも１つを有することを特徴とする請求項４記載の太陽光発電装置。
【請求項６】
螺旋状溝がＳ撚りの溝とＺ撚りの溝の両方を有するものであることを特徴とする請求項１、２又は３記載の太陽光発電装置。
【請求項７】
上記請求項１〜６のいずれか１項記載の太陽光発電装置と水槽とを備えた植物発芽装置であって、水槽の水中に前記太陽光発電装置の電極の両端子が配置されていることを特徴とする植物発芽装置。
【請求項８】
上記請求項７の植物発芽装置を使った植物発芽方法であって、種子を温度３０℃〜３８℃の水中に一定時間浸けることを特徴とする植物発芽方法。
【発明の詳細な説明】
【技術分野】
【０００１】
本発明は、太陽光発電装置に関し、更には、それを備えた植物発芽装置に関するものである。
【背景技術】
【０００２】
無公害で資源を消費しない電源として、太陽光発電装置が開発されており、その光交換の効率も徐々に高まってきている。
そしてそれを電源とする建築物、機械、自動車等の開発も盛んに行われている。
ところで、最近、波動エネルギーに着目した製品の開発が行われるようになった。
この波動エネルギーは、一般に波動測定装置で測ることができ、その数値の高いもの程、その商品を使用する際、少なくとも人体の生理作用に良い影響を与えることが知られている。
そのため製品（物体）の波動エネルギーを高めるための技術開発が行われている〔例えば、特許文献１、特許文献２参照〕。
【０００３】
従来は、例えば電気機器において、どのようにしたら波動エネルギーを高めることができるかは、確実な方法が存在していない。
製造された物にたまたま波動エネルギーが高い数値と測定されると、これを高波動エネルギー製品であるとして、好んで使用されているのが現状である。
従って、飽くまでも結果的に高い波動エネルギーとなったものを使用しているに過ぎない。
【先行技術文献】
【特許文献】
【０００４】
【特許文献１】特開２００４−１８０８８８号公報
【特許文献２】特開２００４−０５７４２９号公報
【発明の概要】
【発明が解決しようとする課題】
【０００５】
本発明の目的は、このような従来の技術における問題点を解決するものであり、エネルギー効率を含む波動エネルギーが確実に高められた太陽光発電装置を提供すること、及びこの太陽光発電装置を備えた有用な植物発芽装置、及びこの植物発芽装置を使った有用な植物発芽方法を提供することである。
【課題を解決するための手段】
【０００６】
本発明者は、このような問題点を解決すべき鋭意研究を行った結果、太陽光発電装置の端子として螺旋形溝を形成したものを使うことで、少なくとも波動エネルギーを高めことができることを見出し、この知見により本発明を完成させたものである。
【０００８】
すなわち、本発明は、（１）、ソーラーパネル体と該ソーラーパネル体から一定長さ引き出した２本の配線コードと、該各配線コードの先に設けた各端子とよりなる太陽光発電装置であって、各端子は円柱状であり螺旋状溝が形成され、各端子は、チタンより形成されており、波動エネルギー触媒塗料が各端子に塗布されている太陽光発電装置に存する。
【００１０】
すなわち、本発明は、（２）、ソーラーパネル体と該ソーラーパネル体から一定長さ引き出した２本の配線コードと、該各配線コードの先に設けた各端子とよりなる太陽光発電装置であって、各端子は円柱状であり螺旋状溝が形成されており、各端子は、中心領域に配置される円柱状のコア部と該コア部の外側に配置される円筒状のクラッド部とよりなり、コア部は、炭素よりなり、クラッド部はチタンよりなり、コア部の表面に螺旋状溝が形成されており、波動エネルギー触媒塗料が、コア部とクラッド部との間に塗布されている太陽光発電装置に存する。
【００１１】
すなわち、本発明は、（３）、ソーラーパネル体と該ソーラーパネル体から一定長さ引き出した２本の配線コードと、該各配線コードの先に設けた各端子とよりなる太陽光発電装置であって、各端子は円柱状であり螺旋状溝が形成されており、各端子部は、中心領域に配置される円柱状のコア部と該コア部の外側に配置される円筒状のクラッド部とよりなり、コア部は炭素より且つクラッド部はチタンよりなり、クラッド部の表面に螺旋状溝が形成されており、波動エネルギー触媒塗料が、クラッド部に塗布されている太陽光発電装置に存する。
【００１５】
すなわち、本発明は、（４）、波動エネルギー触媒塗料が、アクリル樹脂及び無機質粉末を含むものである上記（１）、（２）又は（３）記載の太陽光発電装置に存する。
【００１６】
すなわち、本発明は、（５）、無機質粉末が、トルマリン、貴宝石、蛇紋石粉末の少なくとも１つを有する上記（４）記載の太陽光発電装置に存する。
【００１７】
すなわち、本発明は、（６）、螺旋状溝がＳ撚りの溝とＺ撚りの溝の両方を有するものである上記（１）、（２）又は（３）記載の太陽光発電装置に存する。
【００１８】
すなわち、本発明は、（７）、上記（１）〜（６）のいずれか１項記載の太陽光発電装置と水槽とを備えた植物発芽装置であって、水槽の水中に前記太陽光発電装置の電極の両端子が配置されている植物発芽装置に存する。
【００１９】
すなわち、本発明は、（８）、上記（７）の植物発芽装置を使った植物発芽方法であって、種子を温度３０℃〜３８℃の水中に一定時間浸ける植物発芽方法に存する。
【００２０】
尚、本発明の目的に沿ったものであれば上記（１）から（８）を適宜組み合わせた構成も採用可能である。
【発明の効果】
【００２１】
本発明では螺旋状溝が形成された端子を太陽光発電装置の端子として備えることで、波動エネルギーを高めることができる。
また出力におけるノイズ成分を効果的に除去でき、安定した電力の供給が可能である。結果的に波動エネルギーが高まる。
また太陽光発電装置を備えた植物発芽装置としては、極めて有効な発芽促進効果が得られる。
そして植物発芽装置自体も構造が複雑でなくシンプルであり製造も簡単である。
【図面の簡単な説明】
【００２２】
【図１】図１は、本発明の実施の態様の太陽光発電装置を示す概略図である。
【図２】図２は、第１の実施の形態における端子に形成された螺旋状溝を拡大して示す図である。
【図３】図３は、第２の実施の形態における端子に形成された螺旋状溝を拡大して示す図である。
【図４】図４は、第３の実施の形態における端子に形成された螺旋状溝を拡大して示す図である。
【図５】図５は、ノイズ成分の除去を行う観測実験を説明するための図である。
【図６】図６は、その実測した交流波形の一例を示し、図６（Ａ）は、電導円柱棒体の交流入力の波形を示す図であり、図６（Ｂ）は電導円柱棒体の交流出力の波形を示す図である。
【図７】図７は、水耕栽培装置の水槽に使用した例を説明する図である。
【図８】図８は植物発芽装置を説明する概略図である。
【図９】図９は、４月２日の時点の状態の写真を示す。
【図１０】図１０は、４月１７日の時点の状態の写真を示す。
【図１１】図１１は、５月８日の時点の状態の写真を示す。
【図１２】図１２は、実験例３に使用した植物発芽装置の写真を示す。
【発明を実施するための形態】
【００２３】
本発明の太陽光発電装置Ａは、条件として螺旋状溝Ｇを有する端子５を有するもので、波動エネルギーをも高めることができるものである。
そして本発明の太陽光発電装置Ａにより供給される電力は、通電時のノイズ成分を効果的に除去でき、波動エネルギーを有効に高めることができる。
そのため太陽光発電装置より得た電力を有効に利用することができる。
【００２４】
〔第１の実施の形態〕
この太陽光発電装置は、ソーラーパネル体１とそれに配線された電極の端子５を備える。
詳しくは、ソーラーパネル体１は図示しないソーラーパネルモジュールが平板状の枠体２に複数枚直列に結合されているものである。
このソーラーパネルモジュールは、光エネルギーを電気エネルギーに変える媒体の部分であり変換素子を備えている。
またソーラーパネル体１にはコントローラ部３が備わっており、また該コントローラ部３から一定長さ引き出した２本の配線コード４と、該各配線コード４の先に設けた電極の各端子５，５とを備える。
コントローラ部３には、図示しない交流に変換するためのインバータや直流又は交流に切り替えるための切り替えスイッチが備わっている。
【００２５】
図１は、本実施の態様の太陽光発電装置を示す概略図である。
配線コード４、４が一定距離、例えば２ｍ伸びており、その先端に電極の端子５、５が露出したまま設けられている。
この実施の形態における端子５、５は、チタン又は炭素よりなるもので円柱状であり螺旋状溝Ｇが形成されている。
【００２６】
図２は、電極の端子に形成された螺旋状溝Ｇを拡大して示す図である。
この螺旋状溝Ｇは、異なった方向の２つの撚りを含むものである。
すなわち螺旋状溝はＳ撚り（いわゆる右巻き方向）の螺旋状溝と、Ｚ撚り（いわゆる左巻き方向）の螺旋状溝Ｇとよりなる。
この溝の角度θ（いわゆるリード角）は各々任意に設定することができる。
そして、この端子の表面には波動エネルギー触媒塗料が塗布されているが、導通の観点から端子の端面には塗布しない。
【００２７】
この波動エネルギー触媒塗料は、合成樹脂及び無機質粉末を含むものであり、合成樹脂としては、例えばポリウレタン樹脂やポリアクリル樹脂が採用され、無機質粉末としては、トルマリン、ラピスラズリー、貴宝石、蛇紋石粉末等が採用される。
ここで無機質粉末は、波動エネルギー触媒塗料の５〜３５重量％の範囲が好ましい。
なお、無機質粉末は、高熱処理（例えば８３０度〜８８０度）したものを使用する。
【００２８】
〔第２の実施の形態〕
図３は、この第２の実施の形態における電極の端子５に形成された螺旋状溝Ｇを拡大して示す図である。
この実施の形態の端子部は、中心領域に配置され円柱状のコア部５１と該コア部５１の外側に配置される円筒状のクラッド部５２とよりなる。
ここでコア部５１は、炭素よりなり、クラッド部５２はチタンよりなる。
この場合、コア部５１の表面には螺旋状溝Ｇが形成されており、クラッド部５２には螺旋状溝Ｇは形成されていない。
【００２９】
そして波動エネルギー触媒塗料が、コア部とクラッド部との間に塗布されている。
この波動エネルギー触媒塗料は、前述したように合成樹脂及び無機質粉末を含むものである。
波動エネルギー触媒塗料はコア部５１の表面の螺旋状溝Ｇにも充填されるため、クラッド部との固定力が確実となる利点もある。
【００３０】
〔第３の実施の形態〕
図４は、この第３の実施の形態における電極の端子５に形成された螺旋状溝Ｇを拡大して示す図である。
この実施の形態における端子部は、中心領域に配置される円柱状のコア部５１と該コア部５１の外側に配置される円筒状のクラッド部５２とよりなり、両者は材料が異なっている。
そしてコア部５１は、炭素よりなり、クラッド部５２はチタンよりなる。
またクラッド部５２の表面には螺旋状溝Ｇが形成されている。
【００３１】
このクラッド部５２の表面には波動エネルギー触媒塗料が塗布されている。しかし導通の観点から端子の端面には塗布しない。
この波動エネルギー触媒塗料も、上述したように、アクリル樹脂及び無機質粉末を含むものである。
そして、この端子の表面には波動エネルギー触媒塗料が塗布されているが、導通の観点から端子の端面には塗布しない。
そして、この端子の表面には波動エネルギー触媒塗料が塗布されているが、導通の
【００３２】
〔第４の実施の形態〕
この実施の形態では、ソーラーパネル体の表面に波動エネルギー触媒塗料を塗布する。
それによりソーラーパネルモジュールに太陽光が効率よく吸収されるものである。
波動エネルギー触媒塗料については上述したものを使う。
【００３３】
（実験例１）
次に、螺旋状溝を形成した円柱電導棒（本発明の端子に相当）の効果を示す実験を行った。
そして、螺旋状溝を形成しない端子との比較を示す。
【００３４】
図５は、ノイズ成分の除去を行う観測実験を説明するための図である。
まず、本発明の実施の形態のようなＳ撚り方向と  Ｚ撚り方向の螺旋状溝を有する電導円柱棒体１０１（炭素製）を用意する。
電導円柱棒体１０１の長さは、２５０ｍｍ、直径は６ｍｍである。
そして螺旋状溝の角度θは、８０°のものを用意した。
なお、この電導円柱棒体１０１の表面に波動エネルギー触媒塗料〔ポリウレタン樹脂に３０％の無機質粉末（トルマリン、ラピスラズリー、貴宝石、蛇紋石粉末を含む）〕を塗布した。
【００３５】
電導円柱棒体１０１の一端に商用交流（１００Ｖ）を入力し、その出力側に負荷としてのドライヤ１０２を接続した。
ドライヤ１０２は、ＩＺＵＭＩ製造、定格１００Ｖ，１２００Ｗ、５０〜６０Ｈｚ仕様である。
電導円柱棒体１０１の一端の交流入力と他端の交流出力とを二現象オシロスコープ１０３（ＳＳ−５７０２ＤＣ〜２０Ｍ１Ｈｚ規格）を接続して波形を観測した。
【００３６】
図６に、その実測した交流波形の一例を示す（尚、ここでの波形は、便宜的に実測値を模式化して示したものである）。
ここで図６（Ａ）は、電導円柱棒体１０１の交流入力の波形であり、図６（Ｂ）は電導円柱棒体１０１の交流出力の波形である。
前者の波形に比較して、後者の波形にはノイズ成分が効果的に除去されたものとなっている。
このことから、本発明の螺旋状溝を形成した端子の場合、交流波形のノイズ成分が効果的に除去されることが理解できよう。
【００３７】
（実験例２）
次に、この太陽光発電装置Ａを使用した波動エネルギーの効果を確認するための実験例を示す。
図７は、水耕栽培装置２００の水槽２０１に使用したもので、水が満たされた水槽２０１に太陽光発電装置Ａを据え付けてセットし、各端子（径８ｍｍ、長さ１５ｃｍ）５，５を水面下に挿入した状態にする。
【００３８】
なお、この端子の表面（端面を除く）には波動エネルギー触媒塗料が塗布されており、この場合の波動エネルギー触媒塗料は、ポリウレタン樹脂に２５重量％の無機質粉末（トルマリン、ラピスラズリー、貴宝石、蛇紋石粉末を含む）を含むものである。
水槽２０１には、フロート体２０２が浮かんでおり、このフロート体に育成の対象となる苗等を保持する。
【００３９】
太陽光発電装置Ａからの起電力を利用して水槽２０１の水に弱電流を流し、その状態を維持して３ヶ月後の苗の育成状態を観察した。
同様に別の水槽を使って本発明の太陽光発電装置Ａによる弱電流を流さないでその状態を維持し３ヶ月後の苗の育成状態を観察した。
両者では、苗の生育状態に顕著な差が生じた。
これは波動エレルギーが、水に伝播しこれにより植物の成長が促進されたものであると解される。
一方では、電圧のノイズ成分が除去されることから通電効果が向上し波動エレルギーが高まっていることもいえる。
【００４０】
〔他の実施の形態〕
（太陽光発電装置を備えた植物発芽装置）
次に本発明の太陽光発電装置を備えた植物発芽装置３００について述べる。
植物発芽装置３００は、上述した太陽光発電装置Ａと水槽３０１を備えたものであり、そして水を入れた水槽に前記太陽光発電装置の電極の両端子が配置されている。
【００４１】
図８は植物発芽装置を説明する概略図である。
水槽３０１に支持枠３０２が渡されており、この支持枠３０２の上に太陽光発電装置Ａが設置されている。この太陽光発電装置Ａの電極の両端子５，５を水槽３０１の水中に垂下する。
水位によって配線コード４の長さを変える必要があることから、支持枠３０２に設けられた巻付け手段３０４により長さを調節する。
なお、この端子の表面（端面を除く）には、前述したように、波動エネルギー触媒塗料が塗布されており、この場合の波動エネルギー触媒塗料は、ポリウレタン樹脂に２５重量％の無機質粉末（トルマリン、ラピスラズリー、貴宝石、蛇紋石粉末を含む）を含むものである。
【００４２】
太陽光を受けることにより、太陽光発電装置Ａの電極の端子から弱電流が流れる。
この水槽３０１の水に種籾等の植物の種子を浸けておく。
この場合、布袋体Ｓに種籾等の植物の種子を入れて水中に放置すればよい。
水槽３０１の底部には、複数の布袋体Ｓを区分けして載置するための且つ袋体の移動を阻止して位置を安定させるための仕切部３０３が形成されている。
また水槽３０１には、図示しないが水温を調整維持する装置が備わっている。
【００４３】
（植物発芽装置を使った植物発芽方法）
本植物発芽装置３００を使った植物発芽方法は、極めて有効な発芽方法である。
すなわち、水槽の水中に本発明の太陽光発電装置の電極の両端子を配置して弱電流を流す。
この状態で種籾（布袋体Ｓに入った状態）を一定時間浸けておく。
この場合、発芽促進の観点から、時間は２〜３日間が好適に採用され、水温は３０℃〜３８℃が好ましい。
このような状態に一定時間置いた後は、種籾を取り出し、それを育苗床（種籾の場合は、苗床）に蒔いて育成する。
このような植物発芽方法の有用性は次の実験（この発芽実験では、植物種子として「種籾」を使った）からも明らかである。
【００４４】
（実験例３）
次に、前記図８に示す植物発芽装置３００を使用した発芽実験について述べる。
水耕栽培装置３００の水が満たされた水槽３０１（この場合、水温は３２℃〜３７℃に維持）に太陽光発電装置Ａの電極の各端子（径８ｍｍ、長さ１５ｃｍ）５，５を水中に挿入した状態にした。
別に用意した布袋体Ｓに種籾Ｔ１を入れ、これを水槽２０１の水面下に沈めた。
この状態を３日間続けた後（電圧は平均で１００ｍｍＶで、弱電流が流れた状態）、引き上げて、布袋体Ｓから種籾Ｔ１を取り出し透明ポリエチレンフィルム製小袋に入れた（４月２日）。
この状態を図９に示す。
その後、１５日経過後（４月１７日）、種籾Ｔ１を観察した。
この状態を図１０に示す。
更に２２日経過後（５月８日）、種籾Ｔ１を観察した。
この状態を図１１に示す。
【００４５】
一方、太陽光発電装置Ａの電極の各端子を水中に挿入しない状態の条件以外は同じ条件（すなわち植物発芽装置３００による処理をしない場合）にて別の種籾Ｔ２を使って実験を行い、同様に経過観察した。
ここで図９〜図１１の各左側が種籾Ｔ１、各右側が種籾Ｔ２である。
４月２日の時点では、種籾Ｔ１と種籾Ｔ２の状態は殆ど変化していない。
しかし１５日経過後の４月１７日の時点では種籾Ｔ１と種籾Ｔ２との差が明確に確認できる。
すなわち本発明の植物発芽装置による処理をした種籾Ｔ１の方が発芽数が多くなっているのがわかる。
また２２日経過後の５月２０日の時点では、本発明の処理をした種籾Ｔ１と当該処理をしない種籾Ｔ２との差は極めて顕著に現れている。
【００４６】
すなわち本発明の植物発芽装置３００による処理をした種籾Ｔ１の方は、すでに緑の幼葉が出てきているのが視認できる。
それに比べ植物発芽装置３００による処理をしない種籾Ｔ２の方は４月１７日の時点の状態と殆ど変わっていない。
【００４７】
ちなみに、別の実験を行い、４月２日の種籾Ｔ１、種籾Ｔ２を透明ポリエチレンフィルム製小袋に入れないで、同日、即座に、それらの種籾を直接、育苗床に蒔いて放置し、その後、経過観察した。
この実験では、植物発芽装置３００による処理をした種籾Ｔ１と、同処理をしない種籾Ｔ２との差は、更に顕著に現れたのを確認している。
この現象は透明ポリエチレンフィルム製小袋に種籾を入れた環境では酸素不足等発芽条件が厳しく、大気中の育苗床に蒔いて放置した方がより効果が現れるからである。
このように、太陽光発電装置を使った植物発芽方法では、極めて有効な発芽促進効果があることが理解できよう。
なお参考までに、図１１に実験例３に使用した植物発芽装置の実際の写真を示したが、図８の植物発芽装置の説明概略図とは多少の変更がなされている。
【００４８】
以上本発明を説明したが、本発明はその本質に沿う限り、種々の変形例が可能であることはいうまでもない。
例えば、水耕栽培装置や植物発芽装置の水槽の構造は、上述した構造のものに限らず、また循環手段等を設けることも可能である。
植物発芽方法としては、種籾以外の種子であっても良く、更には苗等であっても有用である。
【産業上の利用可能性】
【００４９】
本発明の太陽光発電装置は、植物の育成のための水耕栽培装置や植物発芽装置に適用する例で示したが、その原理を適用する限り、農業分野全般或いはバイオ分野等にも広く利用できるものである。
【符号の説明】
【００５０】
１・・・ソーラーパネル体
２・・・枠体
３・・・コントローラ部
４・・・配線コード
５・・・端子
５１・・・コア部
５２・・・クラッド部
１６・・・筒状金属板
５・・・端子
１０１・・・電導円柱棒体
１０２・・・ドライヤ
１０３・・・二現象オシロスコープ
２００・・・水耕栽培装置
２０１・・・水槽
２０２・・・フロート体
３００・・・水耕栽培装置
３０１・・・水槽
３０２・・・支持枠
３０３・・・仕切部
３０４・・・巻付け手段
Ａ・・・太陽光発電装置
Ｆ・・・透明ポリエチレンフィルム製小袋
Ｇ・・・螺旋状溝
Ｓ・・・Ｓ撚り
Ｔ１・・・種籾
Ｔ２・・・種籾
Ｚ・・・Ｚ撚り
θ・・・螺旋状の溝の角度
【図１】
0006009835.tif 000002
【図２】
0006009835.tif 000003
【図３】
0006009835.tif 000004
【図４】
0006009835.tif 000005
【図５】
0006009835.tif 000006
【図６】
0006009835.tif 000007
【図７】
0006009835.tif 000008
【図８】
0006009835.tif 000009
【図９】
0006009835.tif 000010
【図１０】
0006009835.tif 000011
【図１１】
0006009835.tif 000012
【図１２】
0006009835.tif 000013